(57)【要約】【課題】            容易でかつ安価で、建造物にドリルで、穴を開けることなく、誰にでも取付が出来る防鳥用ネット又は、日除け、園芸品、物干し掛け等の取付用具を提供する。【解決手段】        ベランダの開口部四方縁又は、中央部に軽量金属板又は、硬質合成樹脂などで成型する。防鳥用ネット又は、日除け、園芸品、物干し掛け等の取付用具【選択図】          図１
2005151899.tif 000002
【特許請求の範囲】
【請求項１】
マンションの庇、ベランダの開口部に電動ドリルを使用しフックの取付や、支柱などの使用をせず、防鳥用ネット、日除け、園芸品、物干し掛、等を容易に取付ける用具。
【発明の詳細な説明】
【技術分野】
【０００１】
本発明は、土鳩など鳥類が、ビルディング、マンションのベランダに、巣を造るのを防止するための防鳥用ネット又は、日除け、園芸品、物干し掛け用具を容易に張設できる、取付用具に関するものである。
【背景技術】
【０００２】
土鳩の鳥類は、ビルディング、マンションなどの建造物の軒先、ベランダなどに好んで巣を作るが、ひとたび巣を構えると、その周辺は糞尿で汚染され環境衛生が、著しく損なわれる。
【０００３】
このような鳥類の造巣防止手段として、ネット、透明糸、ワイヤー等、ベランダの開口部に、張設されているが、その張設方法は、コンクリート用電動ドリルを用いてアンカーを埋設し、このアンカーに、金属制フックを捩じ込み、このフックに防鳥ネット縁のロープを取付けるか、又は支柱を立設して、支柱に防鳥ネットを取付ける。大別して上記二方法があるが、取付方法の殆が、コンクリート用電動ドリルを使用した取付方法が多い。
【０００４】
従来住宅若しくは、中高層住宅のベランダ等の開口部、下部若しくは手摺に防鳥ネットの固定止め作業はどの方法も、図２の１３−１、手摺の内側に取付ける方法しかなく図２の９、金属製手摺、又は図２の９−１、コンクリート手摺に鳩が飛来して、糞尿で汚染される。しかしながら、手摺外壁図２の９−１の外側にネットを取付けるには、足場を立設するか、或いは、身を乗り出してドリルを使用し、取付なければならず危険を伴うので、手摺の外壁にネットの取付けが出来ない欠点があった。
【０００５】
コンクリートは建造より25年を境に年々硬くなり電動ドリル音が大きくビル全体にドリル音が鳴り響く為に区分所有建物は、管理組合、若しくは、ビル入居者に、事前に工事の説明と同意を取らなければならず、又、公団、公共の賃貸建物の殆は、建物にドリルで、穴を開け建物を傷つける事を禁止してる為に、防鳥用ネット又は、日除け、園芸品、物干し掛け用具の取付が、出来ない欠点があつた。
【発明の開示】
【発明が解決しようとする課題】
【０００６】
張設方法が容易でかつ安価で誰にでも取付が出来又、建造物に傷をつけず、穴を開ける事なくベランダの開口部四方の縁にパーフェクトに、張設出来る用具の出現が熱望される。
【０００７】
発明は、上記従来技術の問題点を解決するものである。                          
【課題を解決するための手段】
【０００８】
ベランダの開口部にコンクリート用電動ドリルを使用しアンカーを埋設して防鳥ネット張設用フック取付の図。図２のB−１、B−２又は、
支柱の使用、図２のB−３、B−４などを、せずに防鳥ネット又は、日除け、園芸品、物干し掛け用具を、容易に取付ける用具を提供する事により課題を解決したものである。図１と図３
【発明の効果】
【０００９】
発明は、防鳥ネット又は、日除け、園芸品、物干し掛け用具等の用具取付に建物にドリルで穴を開け建物に傷をつける事なく、ドリル音の鳴響く事もなく、専門業者に依頼する必要もなく、女性でも容易に取付ができ、経済性にも優れ、しかもその構造は著しく単純であるため製造が簡単であり、塗装等の際にも、本発明の脱着が容易にできる。取付の防鳥ネットに、日除けネット等を同時に取付することもできる。本発明はこれらの効果をもたらすもである。
【発明を実施するための最良の形態】
【００１０】
発名の実施の形態は、ベランダの開口部、四方の天井の縁には、図１の防鳥ネット取付け用具を使用、左右側壁の縁には、図１、又は図３の防鳥用ネット取付け用具を使用し開口部四方の縁の下部又は、手摺には、図３の防鳥ネット取付用具を使用する。
【００１１】
日除けネットの発明の実施の形態は、日除けを必要とする開口部に、
日除けネットの左右角上部の天井に発明の用具を取付ける。
【００１２】
園芸品、物干しの用具の取付は開口部、天井の適した箇所に図１のＡ−４の方法で取付ける。
【００１３】
発明の図1、図３の本体は硬質合成樹脂製、若しくは不錆金属板製よりなり、長方形の基盤、図１の２に、錨状のフックが連ねて形成してある。又、図３、発明の取付けの用具は、長方形の本体に鈎型フックを形成してる。
【００１４】
これら、硬質合成樹脂成形品よりなる場合、樹脂の種類としては、防水粘着両面テープ、多用途粘着剤が充分に接着できる、合成樹脂には、大別して、スチレン系プラスチック、オレフィン系プラスチックとがあり、オレフィン系のポリプロピレン、フッ素樹脂などは、市販の粘着両面テープ及び、接着剤は、接着しないので、使用できない。スチレン系ABS樹脂、アクリル樹脂、ポリカーボネット、HIPS、GPPS,などが好ましいが、特にこれらの合成樹脂に限定されるわけではない。図1の2の基盤裏の図１の６−１にブチル系（ゴム）とアクリル系などがあるが、ブチル系（防水効果あり）を選択し、粘着両面テープを装着し、施工用一次接着用（仮止め固定）として使用し施工時にはそのテープの上部の保護離型テープを剥し、図１の６の箇所に多用途接着剤を塗布し、図１の１本体を、押しつけるように、固定すれば容易に施工することができる。
【００１５】
図３の本体内側１６−１にブチル系両面テープを装着、図３の１６−２に接着剤を塗布し、ベランダの開口部天井と左右側壁の縁に、発明の取付用具に防鳥ネットの縁が取付られた後にネット下部の縁を図１の９−１手摺外側角壁と図３の１６鉤型フックで固定する。
【００１６】
発明本体、図１の１の厚さ、３ｍｍ、図1の2の高さ1.2ｃｍ、図１の７の高さ１ｃｍ、図１の７の基盤の高さ５ｍｍ、図１の７の突起５ｍｍ、突起基盤直径１ｃｍ、図１の３の穴の直径は４ｍｍ、図１の４の穴の直径2.5ｍｍ、図１の4−１の半径は３ｍｍ、図１の５の進入口幅２ｍｍ、図１の５の穴の直径は、６ｍｍ
本体の幅は３ｃｍ〜５ｃｍ好ましくは、３ｃｍとしてある。高さは1.5ｃｍとしてある。長さは１０ｃｍ〜２０ｃｍ好ましくは２０ｃｍとしてある。
【００１７】
ベランダ下部又は手摺取付用具の図３の１６の本体の大きさは、幅    ３ｃｍ〜５ｃｍ好ましくは、３ｃｍとしてある。長さは6ｃｍ〜11cm、好ましくは、９ｃｍとしてある。厚さは８ｍｍが好ましい、鉤足図３の１７  
の長さは、６ｃｍ〜８ｃｍ、鳩よけネットの網目長さは平均5.5ｃｍ以下（６ｃｍ以上の網目は鳩が侵入する）なので、鉤足の長さは、８ｃｍ位が好ましい。
【００１８】
コンクリート用接着剤の種類には大別して、科学反応形接着剤と溶剤形接着剤があるが、化学反応形接着剤、特殊シリコ−ン変式ポリマ−を成分にした接着剤が好ましい。多用途接着に優れ、弾力性、温度変化、ショック、振動等にも強い。
【００１９】
変成シリコーンポリマーを成分にした接着強度は、大手メーカーの引張接着強度（測定値）によれば、接着剤層の厚み１ｍｍでｃｍ２13.4ｋｇの強さがある。
【００２０】
防鳥ネットの重量は、ｍ２当りポリアミド系繊維ナイロンなどは、ネット使用糸の太さ最大で、１２号(０．７５２ｍｍ)まで、糸の太さにもよるが15ｇ〜30ｇ、ポリエステル系テトロンなどは、50ｇまで、であるから普通マンションの４ＤＫのベランダの開口部の平均寸法は、金属性手摺付タイプで、高さ１．５ｍ×左右幅８ｍに適合する防鳥ネットで180ｇ〜600ｇ、日除ネット80ｃｍ×1ｍの大きさで150ｇ〜200ｇ、園芸品、又は、物干し用具と洗濯物、合わせても３ｋまで、なので発明の本体の大きさであれば充分支持力が得られる。
【実施例１】
【００２１】
発明の用具に、防鳥ネット縁のロープを図１の５の錨フックに、図１のＡ−１のようにスネーク状にロープ止めし、本体、図１と図１の取付の間隔はベンランダ開口部の天井においては、30ｃｍ〜40ｃｍが好ましい。又、50ｃｍ以上間隔が開くとネットの縁とベランダ天井部との上下の間が、5ｃｍ以上の弛みが出来るので、そこから鳩が侵入する虞れがある。
【００２２】
ベランダ左右側壁の用具と用具の上下の間隔は、天井角からたらすので、弛が出ないので、50ｃｍ以上の間隔でも良い。
【００２３】
べレンダ下部又は、手摺には図３の発明用具鉤型フックでネットの下部横糸を図４の９−１手摺上部外壁角に固定するので、間隔は、１ｍ位で良が、事前に取付位置に印をつけてきめておく。
【実施例２】
【００２４】
図３の発明の用具の取付はベランダ開口部天井の次に左右外壁に防鳥ネットの張設が完了の後に図３の発明用具の取付をするのであるがベランダの手摺に布団など干物をするベランダにおいては、発明の用具、図３の１７でネット横糸を挟まず、図３の９−１に、直接に取付固定をし、図３のネット取付斜視図１７の鉤型フック上部のネット側に、図３のＣ−１のように、図３の１７−１の太目の輪ゴムで、鉤型フック１７に、引かけ、取付を固定、手摺で物干をする時には、輪ゴムを外して、物干をする。
【実施例３】
【００２５】
図１のＡ−４、園芸品、物干し用具の取付、図１のＡ−６ロープは、直径1.5ｍｍ〜２ｍｍ、長さは、2.6ｍ〜３ｍの１本ロープで、図１のＡ−５Ｓ形又は、丸形の硬質合成樹脂にロープを纏める。
【産業上の利用可能性】
【００２６】
本発明は、建物を傷めたり、電動ドリル音の鳴響く事もなく、美観を損なうこともなく、専用業者に依頼する必要もなく、女性でも容易に取付ができ、しかもその構造は、著しく単純で製造が簡単で経済性に優れている為に今日まで、図２のＢ−１の取付方法での、防鳩ネット、又は、日除け、園芸品、物干し掛け用具など金具取付禁止の賃貸住宅等での多くの家庭の利用も期待できる。
【図面の簡単な説明】
【００２７】
【図１】防鳥ネット、園芸品、物干し掛けの取付用具の実施方法を示した、説明図である。
【図２】従来の防鳥ネット取付金具と支柱使用実施方法を示した説明図である。
【図３】防鳥ネットを手摺外側に取付る用具の実施方法を示した説明図である。
【図４】防鳥ネットを取付用具で、取付たベランダ側面断面図と既建築マンション天井の水切り三タイプの断面図である。
【符号の説明】
【００２８】
１    本体
２    基盤
３    接着剤接着時間短縮空気口
４    ４−１防鳥ネット縁ロープをインシュロック又は、止め金
等を用いネットはずれ防止穴
５    防鳥ネット縁止め錨フック
６    接着剤にる塗布面
６−１粘着両面テープ接着面
７    防鳥ネット外れ防止突起
８    開口部ベランダ天井部
９    金属手摺
９−１コンクリート手摺
１０    防鳥ネット
Ａ−１防鳥ネット取付側面図
Ａ−２ベランダにネット取付完成図
Ａ−３防鳥ネット取付斜視図
Ａ−４園芸品、物干し用具取付用具斜視図
１１    開口部  天井水切目地
１２    コンクリートへ金具取付用プラグ
１３    従来の防鳥ネット取付金具フック
１３−１コンクリート手摺内側に防鳥ネットの下部縁ロープを取付金具に取付た側面図
１４    防鳥ネット取付支柱
Ｂ−１ドリル使用金具取付図
Ｂ−２ドリル使用金具にネット取付ベランダ側面図
Ｂ−３支柱使用ベランダ側面図
Ｂ−４支柱使用防鳥ネット取付ベランダ側面図
１５    防鳥ネット縁ロープ
１６    防鳥ネット下部縁、手摺取付用具本体
１６−１粘着両面テープ接着面
１６−２接着剤塗布面
１７    防鳥ネット手摺装着鉤フック
１７−１輪ゴム
Ｃ−１ネットに輪ゴム取付正面図
Ｃ−２手摺にネット取付完成図
Ｃ−３ネット取付斜視図
Ｄ    防鳥ネット取付ベランダ側面図
Ｄ−１水切り目地天井側面図
Ｄ−２水切り天井側面図
Ｄ−３垂れ壁天井側面図
【図１】
2005151899.tif 000003
【図２】
2005151899.tif 000004
【図３】
2005151899.tif 000005
【図４】
2005151899.tif 000006